(57)【要約】【課題】レンズを保持する移動体の中心軸がずれるのを防ぎ、ひいてはチルト特性を向上させる。【解決手段】移動体３と、移動体３に取り付けられた第１の駆動コイル１４１及び第２の駆動コイル１４２と、これらのコイルに対向するように配置されたマグネット１７と、が含まれるレンズ駆動装置１において、駆動コイル１４１，１４２の無通電時に、マグネット１７との間に作用する吸引力によって、移動体３の変位を規制する磁性部材１３８を備え、磁性部材１３８は、移動体３の端面に配置される。【選択図】図１
2008275952.tif 000002
【特許請求の範囲】
【請求項１】
レンズを保持する移動体と、
前記移動体を光軸方向に移動させる駆動機構と、を有し、
前記駆動機構には、前記移動体に取り付けられたコイルと、当該コイルに対向するように配置されたマグネットと、が含まれるレンズ駆動装置において、
前記コイルの無通電時に、前記マグネットとの間に作用する吸引力によって、前記移動体の変位を規制する磁性部材を備え、
前記磁性部材は、前記移動体の端面に配置されることを特徴とするレンズ駆動装置。
【請求項２】
前記移動体を光軸方向に付勢するバネ部材を有し、
前記磁性部材は、前記移動体の端面に配置されるとともに、前記移動体と前記バネ部材の間に介在することを特徴とする請求項１記載のレンズ駆動装置。
【請求項３】
前記移動体の端面には溝が形成されており、
前記磁性部材は、前記溝に嵌められて配置されることを特徴とする請求項２記載のレンズ駆動装置。
【請求項４】
前記磁性部材には、前記マグネットとの間に作用する磁気吸引力を調整するための調整部が、複数箇所に形成されていることを特徴とする請求項１から３のいずれか記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する駆動機構を備えており、スイッチの切り替えによってこの駆動機構を駆動し、レンズを光軸方向に移動させることができるようになっている（例えば特許文献１参照）。
【０００４】
特許文献１に開示されたオートフォーカス装置は、円筒形状からなるレンズホルダと、レンズホルダを光軸方向に移動させる駆動コイル及びマグネットと、レンズホルダを光軸方向に付勢するホルダバネと、を有している。レンズホルダを移動させる際には、駆動コイルを通電し、駆動コイルの駆動力とホルダバネの付勢力とが釣り合う位置が静止位置となる。
【０００５】
一方で、駆動コイルの無通電時（駆動コイルを通電していない時）には、レンズホルダは初期位置（例えば、移動可能な範囲で撮像素子に最も近い位置）に存在しているが、位置ズレを防止する等、耐衝撃性を向上させるために、レンズホルダが、ホルダバネの付勢力によって一方向に押さえつけられている。
【０００６】
ここで、駆動コイルの無通電時において、レンズホルダを一方向に押さえつける技術として、上述したホルダバネの付勢力を利用するものの他に、磁性部材を利用するものがある。具体的に説明すると、例えば図１０に示すように、光軸方向に移動するスリーブ１０１と、スリーブ１０１に取り付けられたコイル１０２と、コイル１０２と対向するように配置されたマグネット１０３と、コイル１０２の駆動力とは反対方向の付勢力を発生させる板バネ１０４と、コイル１０２を挟んで、マグネット１０３と対向するように配置された磁性部材１０５と、を有するレンズ駆動装置１００において、コイル１０２の無通電時、この磁性部材１０５とマグネット１０３との間に作用する吸引力を利用して、スリーブ１０１を一方向（図１０中では下方向）に押さえつけるようにしている（オフセット力をもたせるようにしている）。
【０００７】
【特許文献１】特開２００５−３１４５６５号公報
【発明の開示】
【発明が解決しようとする課題】
【０００８】
しかしながら、図１０に示すレンズ駆動装置１００では、磁性部材１０５とマグネット１０３とが接近していることから、アクチュエータの組み付け時に、スリーブ１０１の中心軸が片側にずれる可能性がある。この場合、中心軸がずれた方向に対してラジアル力が働いてしまい、初期チルト又は変化チルトに対して悪影響を及ぼすことがある（チルト特性が悪化すると、例えばピントずれが生じたりする）。
【０００９】
本発明は、以上の点に鑑みてなされたものであり、その目的は、チルト特性を向上させることが可能なレンズ駆動装置を提供することにある。
【課題を解決するための手段】
【００１０】
以上のような課題を解決するために、本発明は、以下のものを提供する。
【００１１】
（１）  レンズを保持する移動体と、前記移動体を光軸方向に移動させる駆動機構と、を有し、前記駆動機構には、前記移動体に取り付けられたコイルと、当該コイルに対向するように配置されたマグネットと、が含まれるレンズ駆動装置において、前記磁性部材は移動体の端面に配置されることを特徴とするレンズ駆動装置。
【００１２】
本発明によれば、レンズ駆動装置は移動体と駆動機構を有し、駆動機構には、コイルとマグネットが含まれる。また、コイルの無通電時に、マグネットとの間に作用する磁気吸引力によって、移動体の変異を規制する磁性部材が設けられ、この磁性部材は、移動体の端面に配置されることとしたので、磁性部材とマグネットとの距離をある程度広げることができる。
【００１３】
すなわち、例えば上述した図１０に示すレンズ駆動装置において、マグネットのうち最も被写体に近い端面を含む面を基準としたときに被写体に近い側（図１０でいえば上側）に配置することによって、磁性部材とマグネットとの間の距離を離すことができる。また、レンズ駆動装置としては、例えば図１０に示すコイルとマグネットが光軸方向において対向するタイプ（２個のコイルの間にマグネットが介在するタイプ）のレンズ駆動装置だけではなく、コイルとマグネットがラジアル方向において対向するタイプ（コイルの外周面とマグネットの内周面が対向するタイプ）においても、コイルのうち最も被写体に近い端面を含む面を基準としたときに被写体に近い側に配置することによって、磁性部材とマグネットとの間の距離を離すことができる。その結果、磁性部材とマグネットとの磁気吸引力が強くなり過ぎるのを防ぎ、そして、移動体の中心軸がずれるのを防ぎ、ひいてはチルト特性を向上させることができる。
【００１４】
なお、従来のレンズ駆動装置では、移動体の位置ズレをより確実に防ぐために、磁性部材をマグネットにできるだけ近づけて設計するのが一般的であった。しかし、本発明に係るレンズ駆動装置では、チルト特性向上に配慮して、磁性部材がマグネットに近づきすぎるのを防ぎ、磁性部材とマグネットとの磁気吸引力が強くなり過ぎるのを防いでいる。
【００１５】
ここで、移動体の変位を規制する「磁性部材」については、その形状，大きさ又は材質等の如何は問わない。例えば、リング形状のものであってもよいし、球状のものであってもよい。リング形状のものについては、１本に繋がっていてもよいし、１本に繋がっていなくてもよい。したがって、例えば、移動体を光軸方向に付勢するバネ部材が設けられている場合には、このバネ部材からみて撮像素子側にあってもよいし被写体側にあってもよい。
【００１６】
なお、「磁性部材」は、コイルの無通電時に、マグネットとの間に作用する磁気吸引力によって移動体の変位を規制することとしているが、コイルの通電時については、特に限定されることなく如何なる作用が働いていてもよい。例えば、コイルの通電時には、上述したバネ部材とともに、移動体に対して付勢力を与えていてもよい。また、本発明でいう「被写体」とは、その反射光がレンズに入射される位置にある被写体をいう。
【００１７】
（２）  前記移動体を光軸方向に付勢するバネ部材を有し、前記磁性部材は、前記移動体の端面に配置されるとともに、前記移動体と前記バネ部材の間に介在することを特徴とするレンズ駆動装置。
【００１８】
本発明によれば、レンズ駆動装置に上述したバネ部材が設けられ、磁性部材は、移動体の端面に配置されるとともに、移動体とバネ部材の間に介在することとしたので、磁性部材を容易に固定することができる（移動体とバネ部材の間に介在することで、光軸方向にぐらつくのを防ぐことができる）。
【００１９】
また、本発明は、バネ部材からみれば、磁性部材を撮像素子側に配置することになるので、磁性部材がマグネットから離れ過ぎるのを防ぐことができ、ひいては磁性部材とマグネットとの間に働く磁気吸引力が弱まり過ぎるのを防ぐことができる。その結果、コイルの無通電時における移動体の安定性を保ちつつ、チルト特性を向上させることができる。
【００２０】
ここで、「移動体の端面」とは、平面形状の端面であってもよいし、凹凸のある端面であってもよい。すなわち、例えば移動体の端面に溝又は穴を設け、その溝又は穴の底面も、ここでいう「端面」になり得る。
【００２１】
（３）  前記移動体の端面には溝が形成されており、前記磁性部材は、前記溝に嵌められて配置されることを特徴とするレンズ駆動装置。
【００２２】
本発明によれば、上述した磁性部材は、上述した移動体の端面に形成された溝に嵌められて配置されることとしたので、磁性部材を更に容易に固定することができる（磁性部材の位置決めが容易になる）。
【００２３】
また、移動体のうち被写体側の端面とマグネットとが離れ過ぎている場合には、溝の深さを調整することによって、磁性部材とマグネットとの磁気吸引力を調整することができる。
【００２４】
（４）  前記磁性部材には、前記マグネットとの間に作用する磁気吸引力を調整するための（磁気吸引力）調整部が、複数箇所に形成されていることを特徴とするレンズ駆動装置。
【００２５】
本発明によれば、磁性部材には、前記マグネットとの間に作用する磁気吸引力を調整するための（磁気吸引力）調整部が、複数箇所に形成されていることとしたので、この（磁気吸引力）調整部を形成する位置を調節することによって、（任意の方向における）磁性部材とマグネットとの間の磁気吸引力を調整することができる。
【発明の効果】
【００２６】
本発明に係るレンズ駆動装置によれば、磁性部材とマグネットとの距離をある程度広げることによって、両者の間に働く吸引力が強くなり過ぎるのを防ぎ、ひいてはチルト特性を向上させることができる。
【発明を実施するための最良の形態】
【００２７】
以下、本発明を実施するための最良の形態について、図面を参照しながら説明する。
【００２８】
［概要］
図１は、本発明の実施の形態に係るレンズ駆動装置１の概要を示す図である。
【００２９】
図１において、レンズ駆動装置１は、光軸方向に移動する移動体３と、移動体３に取り付けられた第１の駆動コイル１４１（図１では図示せず）及び第２の駆動コイル１４２と、これら駆動コイル１４１，１４２に対向するように配置されたマグネット１７と、これら駆動コイル１４１，１４２の駆動力とは反対方向の付勢力を発生させ、移動体３を光軸方向に付勢するバネ部材としての第１の板バネ３１（図１では図示せず）及び第２の板バネ３２と、第１の駆動コイル１４１及び第２の駆動コイル１４２の無通電時に、マグネット１７との間に作用する磁気吸引力によって、移動体３の変位を規制する（図１でいえば、移動体３を下方向に押さえつける）磁性部材１３８と、を有している。
【００３０】
ここで、本実施形態に係るレンズ駆動装置１では、磁性部材１３８の配置位置が特徴的である。すなわち、図１に示すように、磁性部材１３８は、移動体３のうち被写体側（図１でいう上側）の端面に配置されるとともに、移動体３と第２の板バネ３２の間に介在するように配置している。換言すれば、磁性部材１３８は、第１の駆動コイル１４１及び第２の駆動コイル１４２のうち最も被写体に近い端面（すなわち第２コイル１４２の前端面）を含む面を基準としたときに、被写体に近い側（図１でいう上側）に配置されているとともに、マグネット１７のうち最も被写体に近い端面を含む面を基準としたときにも、被写体に近い側（図１でいう上側）に配置されている。
【００３１】
これにより、磁性部材１３８とマグネット１７との距離をある程度離し、磁性部材１３８とマグネット１７との吸引力が強くなり過ぎるのを防ぐことができる。その結果、移動体３の中心軸がずれるのを防ぎ、ひいてはチルト特性を向上させることができる。
【００３２】
なお、また、磁性部材１３８を板バネ３２の下面（図１でいう下側）に配置したとは、詳細に説明すると板バネ３２の内枠３２０（図２参照）の下面にかかるように磁性部材１３８を配置していることを示す。これにより、無通電時において磁性部材１３８が内枠３２０を被写体側に押し上げており（板バネ３２０のアーム部３２５ａ〜３２５ｄを被写体側に押し上げており）、スリーブ１５を、一方向（下方向）に押さえつけている。すなわち、磁性部材１３８と、磁性部材１３８との相互作用により、スリーブ１５が下方向に押さえつけられているため（オフセット力をもたせているため）、レンズ駆動装置１がいずれの方向に向けられてもスリーブ１５の位置ずれを防止できる。以下、本実施形態に係るレンズ駆動装置１の機械構成及び基本動作等について詳述する。
【００３３】
［機械構成］
図２は、本発明の実施の形態に係るレンズ駆動装置１の機械構成を示す図である。図２（Ａ）は、レンズ駆動装置１を斜め上方から見たときの外観図であって、図２（Ｂ）は、レンズ駆動装置１の分解斜視図である。また、図３は、図２（Ａ）に示すレンズ駆動装置１をＦ−Ｆ'の位置で光軸方向Ｌに切断したときの断面図である。
【００３４】
図２及び図３において、レンズ駆動装置１は、３枚のレンズ１２１，１２２，１２３を、光軸方向Ｌに沿って被写体（撮像対象）に近づくＡ方向（前側）、および、被写体とは反対側（像側）に近づくＢ方向（後側）の双方向に移動させるものであり（図３参照）、直方体形状を呈している（図２（Ａ）参照）。また、レンズ駆動装置１は、３枚のレンズ１２１，１２２，１２３及び固定絞り１２４を円筒状のレンズホルダ１２上に一体に保持した移動体３と、この移動体３を光軸方向Ｌに沿って移動させるレンズ駆動機構５と、レンズ駆動機構５及び移動体３が搭載された支持体としての固定体２と、を有している。移動体３は、円筒状のスリーブ１５を備えており、その内側に円筒状のレンズホルダ１２が固着されている。
【００３５】
固定体２は、像側で撮像素子（図示せず）を保持するための矩形のベース１９と、被写体側に位置する矩形のケース１１と、ケース１１の被写体側を覆う板状の板状カバー１８と、を備えており、ケース１１及び板状カバー１８の中央には、被写体からの反射光をレンズに取り込むための円形の入射窓１１０，１８０が各々形成されている。固定体２は、さらに、ベース１９とケース１１との間に挟持された角筒状のバックヨーク１６を備えており、バックヨーク１６は、後述する駆動マグネット（マグネット）１７とともに、駆動コイル（コイル）１４１，１４２に鎖交磁界を発生させる鎖交磁界発生体４を構成している。
【００３６】
レンズ駆動機構５は、スリーブ１５の外周面に光軸の方向に２段に配置された円環状の第１の駆動コイル１４１と第２の駆動コイル１４２と鎖交磁界発生体４を備え、これらによって、磁気駆動機構５ａが構成されている（図３参照）。鎖交磁界発生体４は、駆動コイル１４１，１４２に対して外周側で対向する４個の駆動マグネット１７と、鋼板などの強磁性板からなる角筒状のバックヨーク１６とを備えており、４個の駆動マグネット１７は、バックヨーク１６の内周面のうち４箇所の角部分に固定されている。
【００３７】
４個の駆動マグネット１７は、いずれも光軸方向Ｌにおいて２分割されており、いずれにおいても内面と外面とが異なる極に着磁されている。また、４個の駆動マグネット１７では、例えば、上半分では内面がＮ極に着磁され、外面がＳ極に着磁され、下半分では、内面がＳ極に着磁され、外面がＮ極に着磁されている。バックヨーク１６は、ベース１９とケース１１との間に挟持された状態にあり、バックヨーク１６は、レンズ駆動装置１の側面で露出し、その側面部を構成している。
【００３８】
また、レンズ駆動機構５は、バックヨーク１６とベース１９との間に挟持された第１の板バネ３１を備えているとともに、バックヨーク１６とケース１１との間に挟持された第２の板バネ３２を備えている。第１の板バネ３１及び第２の板バネ３２は、双方とも金属製の薄板から形成されており、光軸方向Ｌにおける厚さを同じにすることによって、生産性を高めることができる。
【００３９】
バックヨーク１６は、駆動コイル１４１，１４２が配置されている領域の光軸方向Ｌの寸法、及び駆動マグネット１７の光軸方向Ｌの寸法よりも大きくなっている。このため、駆動マグネット１７と第１の駆動コイル１４１との間に構成される磁路、及び、駆動マグネット１７と第２の駆動コイル１４２との間に構成される磁路からの漏れ磁束を少なくすることができる。その結果、スリーブ１５の移動量と、駆動コイル１４１，１４２に流す電流との間のリニアリティを向上させることができる。なお、本実施形態におけるバックヨーク１６では、例えば、バックヨーク１６の形状を駆動コイル１４１，１４２の側面及び下面又は上面を覆うような形状にしなくても、上述した漏れ磁束を減少させる等の効果を得ることができる。
【００４０】
さらに、レンズ駆動装置１は、スリーブ１５の上端に保持された円環状の磁性部材１３８を備えている（図２（Ｂ）参照）。本実施の形態では、磁性部材１３８には、その円周方向に複数の穴が形成されている。これらの穴は、第１の板バネ３１及び第２の板バネ３２を固定するために形成されたピン（突起）に係合するようになっている。この磁性部材１３８は、駆動マグネット１７との間に作用する吸引力により、移動体３に対して光軸方向Ｌの付勢力を印加する。このため、移動体３が無通電時に自重で変位することを防止することができ、ひいては移動体３に所望の姿勢を維持させることができる。
【００４１】
また、磁性部材１３８は、一種のバックヨークとして作用し、駆動マグネット１７と第１の駆動コイル１４１との間に構成される磁路、及び、駆動マグネット１７と第２の駆動コイル１４２との間に構成される磁路からの漏れ磁束を減少させることができる。
【００４２】
さらに、上記［概要］において説明したように、磁性部材１３８は、移動体３のうち被写体側（前側）の端面に配置されるとともに、移動体３と第２の板バネ３２の間に介在するように配置している（図３参照）。
【００４３】
バックヨーク１６は、外周形状が略長方形であって、対向する一対の側面部１６１は平面状に形成され、他方の対向する一対の側面部１６２には、両端部１６３が内側に凹んでいる分、中央には外側に段差状に突出する凸部１６４が形成されている。従って、光軸方向Ｌからみたとき、バックヨーク１６において、側面部１６１と、側面部１６２の両端部１６３で囲まれた長方形の領域が、板バネ３１，３２を配置できるスペースとなっている。
【００４４】
ケース１１は、バックヨーク１６の被写体側に被さって、中央には入射窓１１０が形成された板部１１５を有している。板部１１５の四隅には、被写体側に延びる凸部１１１及び撮像素子側に延びる凸部１１２が形成され、板部１１５の一対の対向する辺部には、板部１１５の上面で、後述する板状カバー１８の係合部の周方向を保持する保持部１１３が形成されている。また、ベース１９には、その四隅に、被写体側に延びる凸部１９２が形成され、側面から被写体側に向かって柱状部材１９１が延びている。なお、ベース１９の凸部１９２及びケース１１の凸部１１２は、板バネ３１，３２を固定体２に接続する際に用いられる。
【００４５】
板状カバー１８は、非磁性の薄板（例えばＳＵＳ３０４）によって構成されており、ケース１１の被写体側に被さって、中央には入射窓１８０が形成されている天板部１８５を有している。天板部１８５は、略長方形状をしているが、四隅及び対向する一辺の中央付近には、それぞれ矩形上の切り欠き１８６，１８７が形成されている。天板部１８５の一対の対向辺部分からは、一対の係合脚部１８１が下方に延びている。また、天板部１８５の他の一対の対向辺部分では、切り欠き１８７を挟む両端付近から、一対の係合脚部１８２が各々下方に延びている。係合脚部１８１，１８２の各々には、その中央領域付近に貫通穴１８３が形成されている。
【００４６】
以上のような構成により、ベース１９，第１の板バネ３１，第２の板バネ３２及びケース１１を重ねた状態で、板状カバー１８を重ね合わせる際、ケース１１の保持部１１３に板状カバー１８の切り欠き１８７を各々嵌め込むことによって、ケース１１の上面に板状カバー１８が配置される。その際、天板部１８５の四隅に形成された切り欠き１８６内には、ケース１１の四隅に形成された凸部１１１が配置される。また、係合脚部１８１は、バックヨーク１６の側面部１６１と当接し、係合脚部１８２は、バックヨーク１６の側面部１６２に当接し、かつ、凸部１６４を挟み込むように配置される。このように配置された係合脚部１８１，１８２において、例えば、各々が有する貫通穴１８３より接着剤を塗布することで、側面部１６１，１６２と係合脚部１８１，１８２とを固定する。そして、レ
ーザ溶接によって側面部１６１，１６２と係合脚部１８１，１８２と接合することによって、板状カバー１８をバックヨーク１６に固定することができる。
【００４７】
［基本動作］
本実施形態に係るレンズ駆動装置１において、移動体３は、通常（第１の駆動コイル１４１及び第２の駆動コイル１４２の無通電時）は、撮像素子側（像側）に位置する（図３参照）。具体的には、スリーブ１５の下端面（像側面）がベース１９の上面（前側面）に当接した状態である。
【００４８】
ここで、磁性部材１３８は、駆動マグネット１７との間に作用する吸引力によって、移動体３の変位を規制している。ただし、磁性部材１３８と駆動マグネット１７との距離はある程度保たれているため、磁性部材１３８と駆動マグネット１７との吸引力が強くなり過ぎることはない。これにより、移動体３の中心軸がずれるのを防ぎ、ひいてはチルト特性の悪化を防いでいる。
【００４９】
このような状態において、駆動コイル１４１，１４２に所定方向の電流を流すと、駆動コイル１４１，１４２は、それぞれ上向き（前側）の電磁力を受けることになる。これにより、駆動コイル１４１，１４２が固着されたスリーブ１５は、被写体側（前側）に移動し始める。このとき、板バネ３１とスリーブ１５の前端との間、及び板バネ３２とスリーブ１５の後端との間には、それぞれスリーブ１５の移動を規制する弾性力が発生する。このため、スリーブ１５を前側に移動させようとする電磁力と、スリーブ１５の移動を規制する弾性力が釣り合ったとき、スリーブ１５は停止する。また、駆動コイル１４１，１４２に逆方向の電流を流すと、駆動コイル１４１，１４２は、それぞれ下向き（後側）の電磁力を受けることになる。
【００５０】
その際、駆動コイル１４１，１４２に流す電流量と、板バネ３１，３２によってスリーブ１５に働く弾性力を調整することで、スリーブ１５（移動体３）を所望の位置に停止させることができる。なお、移動体３に保持させた磁性部材１３８と駆動マグネット１７との付勢力も利用することで、移動体３に光軸方向Ｌの推進力を発生させる磁気駆動機構５ａの小型化を図ることができるようになっている。また、電磁力と弾性力との釣り合いを利用してスリーブ１５を停止させることで、衝突音の発生を防ぐことができるようになっている。
【００５１】
［実施例］
図４は、磁性部材１３８とマグネット１７とが近接した位置にある場合の磁性部材１３８に働く吸引力（吸着力）を解析した結果を示す図である。
【００５２】
ここでは、図４（ａ）に示すように磁性部材１３８を８分割し、各分割部におけるラジアル方向（Ｘ方向及びＹ方向。Ｘ方向の成分がチルト問題を引き起こす。）と光軸方向（Ｚ方向）への吸引力を解析した。解析結果は、図４（ｂ）のとおりである。
【００５３】
図４（ｂ）は、各分割部に対するＸ方向に働く力Ｆｘ［ｇｆ］，Ｙ方向に働く力Ｆｙ［ｇｆ］，Ｚ方向に働く力Ｆｚ［ｇｆ］を一覧表にして示している。Ｆｘに着目すれば、「分割４」及び「分割８」で、それぞれ−０．３２及び０．３２と絶対値が最大になっている（図４（ｂ）中の※印参照）。また、Ｆｙに着目すれば、「分割４」で、０．２２と最大になっている（図４（ｂ）中の※印参照）。
【００５４】
なお、本解析では、中心軸ズレ無しのため、Ｙ方向に働く力Ｆｙを足し合わせると、ほぼ０になることが分かる。また、一覧表の左にスター印で示すように、Ｘ方向への吸引に影響が大きい部分は「分割１」，「分割４」，「分割５」及び「分割８」である。さらに、一覧表の下に、磁性部材１３８の磁気吸引力（解析値）が−１．２７になることを示している。
【００５５】
一方で、図５は、本発明の実施例に係るレンズ駆動装置１において、駆動マグネット１７によって磁性部材１３８に働く磁気吸引力を解析した別の解析結果を示す図である。この（磁気吸引力）調整部は、スリーブ１５への取り付け部としても使用することができる。
【００５６】
ここでも、図５（ａ）に示すように磁性部材１３８を８分割し、各分割部におけるラジアル方向（Ｘ方向及びＹ方向。Ｘ方向の成分がチルト問題を引き起こす。）と光軸方向（Ｚ方向）への吸引力を解析した。解析結果は、図５（ｂ）のとおりである。
【００５７】
図５（ｂ）は、図４（ｂ）と同様の一覧表であって、Ｆｘに着目すれば、「分割１」，「分割４」「分割８」で、−０．１５又は０．１５と大きくなっており、特に、「分割５」で、−０．１６と最大になっている（図５（ｂ）中の※印参照）。また、Ｆｙに着目すれば、「分割４」及び「分割８」で、それぞれ０．１２及び−０．１２と絶対値が最大になっている（図５（ｂ）中の※印参照）。
【００５８】
なお、図４と同様に、一覧表の下に、磁性部材１３８の磁気吸引力（解析値）が−１．１２になることを示している。
【００５９】
以上、図４（ｂ）及び図５（ｂ）を比較しながら考察すると、図５（ｂ）におけるＸ方向の吸引力は、図４（ｂ）におけるＸ方向の磁気吸引力よりも、約１／２程度（約０．３２→約０．１６）小さくなっていることが分かる。つまり、製品の組み立てバラつきで起こる中心軸の位置ずれが起きても、チルト変化の一要因であるＸ方向の磁気吸引力は、働きにくくなると考えられる。なお、本実施の形態では、図５（ｂ）に示すように、ラジアル方向に幅広く形成した（磁気吸引力）調整部１３８ａを略等間隔に４箇所形成しているが、より多くの（磁気吸引力）調整部１３８ａ（又はより少ない（磁気吸引力）調整部１３８ａ）を形成することとしてもよい。また、形状やその形成位置の如何も問わない。
【００６０】
図６は、磁性部材１３８の形状を変更したときの解析結果を示す図である。本解析では、磁性部材１３８の形状を変化させることによって、さらにＸ方向の磁気吸引力を減少させることができないか検討した。より具体的には、図６（ａ）に示す磁性部材１３８（ワイヤースプリング）の（磁気吸引力）調整部１３８ａ（全４箇所）のうち、対称となる２箇所の（磁気吸引力）調整部１３８ａにおいて、内径側に飛び出している部分をカットしている（図６（ｂ）参照）。
なお、本実施の形態では、（磁気吸引力）調整部１３８ａには、穴が形成されている。この穴は、スリーブ１５の端面に形成されたピン（突起）に嵌合され、磁性部材１３８を固定するようにしている。
【００６１】
この場合、Ｘ方向の吸引力は、０．１７→０．１６と減少した。加えて、Ｘ方向の磁気吸引力も、１．４２→１．３１と減少した。このように、図６（ｂ）に示す磁性部材１３８によれば、Ｘ方向の磁気吸引力を更に弱めることができる。なお、図４に示した（磁気吸引力）調整部１３８ａ〜１３８ａや内径側に飛び出している部分をカットしている箇所がない環状の磁性部材であってもよい。
【００６２】
［実施形態等の効果］
以上説明したように、本実施形態に係るレンズ駆動装置１によれば、磁性部材１３８と駆動マグネット１７との間の距離をある程度離すことによって、磁性部材１３８と駆動マグネット１７との磁気吸引力が強くなりすぎるのを防ぐことができる。その結果、移動体３の中心軸がずれるのを防ぐことができ、ひいてはチルト特性を向上させることができる。
【００６３】
また、磁性部材１３８は、移動体３と第２の板バネ３２との間に介在しているので、光軸方向に位置ズレするのを防ぐことができる。さらに、図６を用いて実施例で説明したように、磁性部材１３８の形状を変えることによって、チルト問題を引き起こすＸ方向の磁気吸引力を減少させることができ、ひいてはチルト特性を向上させることができる。
【００６４】
［変形例］
図７は、磁性部材１３８が、移動体３のうち被写体側の端面に形成された溝１５ａに嵌められて配置されている様子を示す図である。
【００６５】
磁性部材１３８は、図７に示すように、移動体３に形成された溝１５ａに嵌められて配置することができる。これにより、磁性部材１３８の位置決めが容易になる。また、溝１５ａの深さを調整することで、磁性部材１３８と駆動マグネット１７との磁気吸引力を調整することができる。さらに、溝１５ａの深さは、磁性部材１３８よりも深い場合であってもよいし、浅い場合でもよい。例えば、溝１５ａの深さを、磁性部材１３８の表面が、端面より突出するようにするようにした場合、磁性部材１３８に載置される板バネに対して、その突出量に対応した付勢力を負荷することができる。すなわち、オフセット力をかけられるようにしてもよい。
【００６６】
図８は、磁性部材１３８が、第２の板バネ３２の前側（図８でいう前側）に配置されている様子を示す図である。
【００６７】
磁気板１３８は、図８に示すように、第２の板バネ３２の前側（図８でいう前側）に配置することもできる。これにより、磁性部材１３８が第２の板バネ３２の後側にある場合と比べて、駆動マグネット１７との磁気吸引力を更に減少させることができる。
【００６８】
図９は、２個の駆動コイル１４１，１４２の間に駆動マグネット１７が介在するタイプのレンズ駆動装置１Ａにおいても、本発明は適用可能であることを示す図である。なお、図９（ａ）は、上述したレンズ駆動装置１Ａの概要を示す図である。
【００６９】
本発明は、図９（ｂ）に示すように、２個のコイルの間に駆動マグネット１７が介在する場合にも適用可能である。具体的に説明すると、レンズ駆動装置１Ａにおいて、磁性部材１３８は、第１の駆動コイル１４１及び第２の駆動コイル１４２のうち最も被写体に近い端面（すなわち第２コイル１４２の前端面）を含む面Ｓ１を基準としたときに、被写体に近い側（図９（ｂ）でいう上側）に配置されているとともに、駆動マグネット１７のうち最も被写体に近い端面を含む面Ｓ２を基準としたときにも、被写体に近い側（図９（ｂ）でいう上側）に配置されている。
【００７０】
このように、本発明では、駆動マグネット１７は、駆動コイル１４１，１４２とラジアル方向で対向するように配置されていてもよいし（図１参照）、また、駆動コイル１４１，１４２と光軸方向で対向するように配置されていてもよい（図９参照）。
【００７１】
なお、レンズ駆動装置１，１Ａは、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００７２】
本発明に係るレンズ駆動装置は、チルト特性を向上させることが可能なものとして有用である。
【図面の簡単な説明】
【００７３】
【図１】本発明の実施の形態に係るレンズ駆動装置の概要を示す図である。
【図２】本発明の実施の形態に係るレンズ駆動装置の機械構成を示す図である。
【図３】図２（Ａ）に示すレンズ駆動装置をＦ−Ｆ'の位置で光軸方向Ｌに切断したときの断面図である。
【図４】本発明の実施例に係るレンズ駆動装置において、駆動マグネットによって磁性部材に働く吸引力を解析した解析結果を示す図である。
【図５】本発明の実施例に係るレンズ駆動装置において、駆動マグネットによって磁性部材に働く吸引力を解析した別の解析結果を示す図である。
【図６】磁性部材の形状を変更したときの解析結果を示す図である。
【図７】磁性部材が、移動体のうち被写体側の端面に形成された溝に嵌められて配置されている様子を示す図である。
【図８】磁性部材が、第２の板バネの前側に配置されている様子を示す図である。
【図９】２個の駆動コイルの間に駆動マグネットが介在するタイプのレンズ駆動装置においても、本発明は適用可能であることを示す図である
【図１０】従来のレンズ駆動装置の概要を示す図である。
【符号の説明】
【００７４】
１  レンズ駆動装置
２  固定体
３  移動体
５  レンズ駆動機構
１１  ケース
１３８  磁性部材
１４１，１４２  駆動コイル
１５  スリーブ
１６  バックヨーク
１７  マグネット（駆動マグネット）
１８  板状カバー
１９  ベース
【図２】
2008275952.tif 000003
【図３】
2008275952.tif 000004
【図６】
2008275952.tif 000005
【図７】
2008275952.tif 000006
【図８】
2008275952.tif 000007
【図９】
2008275952.tif 000008
【図１０】
2008275952.tif 000009
【図１】
2008275952.tif 000010
【図４】
2008275952.tif 000011
【図５】
2008275952.tif 000012